(57)【要約】【課題】ケーブルドラムの搬送に関わる作業員の負担を容易に軽減することが可能なケーブドラム搬送機を提供する。【解決手段】ケーブルドラムCDが回転可能な間隔をあけてドラム側面27aに平行に配置された一対の台車フレーム部材11a,11bと、台車フレーム部材11b,11bそれぞれの一端と他端とに設けられ、当該台車フレーム部材11a,11bを共に床面F上で移動可能にする複数の車輪14a,14b,16a,16bと、台車フレーム部材11a,11bそれぞれの上面に立設され、ケーブルドラムCDの回転中心孔に通した主軸19をドラム側面27aのフランジ部28aが床面Fに接地する状態で回転可能に支持する一対の主軸支持部18a,18bと、主軸支持部18aに設けられ電動回転工具30を装着するための工具装着部29と、工具装着部29に装着された電動回転工具30の回転動力をケーブルドラムCDの回転動力として伝達させる動力伝達機構22と、を備えた。【選択図】      図３
2019202563.tif 000002
【特許請求の範囲】
【請求項１】
ケーブルドラムが回転可能な間隔をあけて当該ケーブルドラムのドラム側面に平行に配置された一対の台車フレーム部材と、
前記一対の台車フレーム部材それぞれの一端と他端とに設けられ、当該一対の台車フレーム部材を共に床面上で移動可能にする複数の車輪と、
前記一対の台車フレーム部材それぞれの上面に立設され、前記ケーブルドラムの回転中心孔に通した主軸を、前記ケーブルドラムのドラム側面のフランジ部が前記床面に接地する状態で、当該主軸の両端において回転可能に支持する一対の主軸支持部と、
前記主軸支持部に設けられ、電動回転工具を装着するための工具装着部と、
前記工具装着部に装着された電動回転工具の回転動力を、前記ケーブルドラムを回転させる動力として伝達させる動力伝達機構と、
を備えたケーブルドラム搬送機。
【請求項２】
前記一対の主軸支持部は、前記ケーブルドラムの回転中心孔に通した主軸を、前記ケーブルドラムのドラム側面のフランジ部が、前記床面に接地する状態と前記床面から離間した状態とで伸縮可能に支持する、
請求項１に記載のケーブルドラム搬送機。
【請求項３】
前記動力伝達機構は、前記工具装着部に電動回転工具を装着した際に当該電動回転工具の回転部に嵌合して回転する嵌合部と、前記嵌合部と共に回転する第１の歯車と、前記第１の歯車に噛み合って回転し当該第１の歯車より大径の第２の歯車と、前記第２の歯車と共に回転し前記ケーブルドラムのドラム側面に対し当該ケーブルドラムの回転中心孔に通した主軸を中心にして取り付けられる動力伝達プレートと、を有する、
請求項１または請求項２に記載のケーブルドラム搬送機。
【請求項４】
前記動力伝達機構の嵌合部と、第１の歯車と、第２の歯車は、前記主軸支持部に設けられた箱体の内部に構成され、
前記工具装着部は、前記箱体の側面に設けられる、
請求項３に記載のケーブルドラム搬送機。
【請求項５】
前記第１の歯車はかさ歯車であり、当該第１の歯車は前記第２の歯車に対して直交する方向に回転を伝達し、前記工具装着部は前記台車フレーム部材の一端側に対応する前記箱体の側面に設けられる、
請求項４に記載のケーブルドラム搬送機。
【請求項６】
前記一対の台車フレーム部材それぞれの一端側の相互間に立設されたハンドル部を備え、前記一対の台車フレーム部材それぞれの一端に設けられた車輪は、進行方向に応じて方向転換するよう回動する、
請求項１ないし請求項５の何れか一項に記載のケーブルドラム搬送機。
【請求項７】
前記車輪に設けられ、当該車輪の回転をユーザ操作に応じて強制的に止めておく車輪ストッパを備えた、
請求項１ないし請求項６の何れか一項に記載のケーブルドラム搬送機。
【請求項８】
前記一対の台車フレーム部材のうち何れか一方の台車フレーム部材の上面に立設され、ユーザ操作に応じて前記ケーブルドラムのフランジ部に接触し当該ケーブルドラムの回転を制動するドラムストッパを備えた、
請求項１ないし請求項７の何れか一項に記載のケーブルドラム搬送機。
【発明の詳細な説明】
【技術分野】
【０００１】
本発明の実施形態は、例えば、電力用のケーブルを巻装したケーブルドラムを搬送するためのケーブルドラム搬送機に関する。
【背景技術】
【０００２】
例えば、電力用のケーブルを延線する工事現場において、作業員が、当該ケーブルを券装したケーブルドラムを目的とする場所まで搬送する際には、ケーブルドラムの円盤状のドラム側面のフランジ部を現場の床面に置いて、作業員の力で転がすことにより搬送している。
【０００３】
一般に電力用のケーブルは、他のケーブルに比較してケーブルそれ自体が比較的太く、重さがあり、ケーブルドラムも相当の大きさ、重量になるため、当該ケーブルドラムを搬送する機会が多くその距離が長くなる場合、搬送経路に上り傾斜がある場合など、作業員の体力面や安全面において負担が大きい。
【０００４】
従来、ケーブルドラムを、キャスタ付きの台車に床面から完全に浮かせた状態で載せて搬送する装置などが考えられている。
【先行技術文献】
【特許文献】
【０００５】
【特許文献１】特開平０２−１３２０４８号公報
【特許文献２】特開２００８−１４３２４１号公報
【特許文献３】特開平０９−２６７９７２号公報
【発明の概要】
【発明が解決しようとする課題】
【０００６】
前記従来のように、ケーブルドラムを、キャスタ付きの台車に床面から完全に浮かせた状態で載せて搬送する装置を使用した場合であっても、ケーブルドラムに相当の重量があることに変わりなく、搬送距離が長い場合や搬送経路に上り傾斜がある場合などは、やはり作業員の負担が大きい。
【０００７】
本発明が解決しようとする課題は、ケーブルドラムの搬送に関わる作業員の負担を容易に軽減することが可能になるケーブドラム搬送機を提供することにある。
【課題を解決するための手段】
【０００８】
実施形態のケーブルドラム搬送機は、
ケーブルドラムが回転可能な間隔をあけて当該ケーブルドラムのドラム側面に平行に配置された一対の台車フレーム部材と、
前記一対の台車フレーム部材それぞれの一端と他端とに設けられ、当該一対の台車フレーム部材を共に床面上で移動可能にする複数の車輪と、
前記一対の台車フレーム部材それぞれの上面に立設され、前記ケーブルドラムの回転中心孔に通した主軸を、前記ケーブルドラムのドラム側面のフランジ部が前記床面に接地する状態で、当該主軸の両端において回転可能に支持する一対の主軸支持部と、
前記主軸支持部に設けられ、電動回転工具を装着するための工具装着部と、
前記工具装着部に装着された電動回転工具の回転動力を、前記ケーブルドラムを回転させる動力として伝達させる動力伝達機構と、
を備えている。
【図面の簡単な説明】
【０００９】
【図１】実施形態のケーブルドラム搬送機１０の外観構成を示す斜視図。
【図２】前記ケーブルドラム搬送機１０のギアボックス２２の内部構成とケーブルドラムＣＤとの関係を示す図。
【図３】前記ケーブルドラム搬送機１０の主軸２１に対して取り付けられるドラム固定部３６の他の実施形態を示す図。
【図４】前記ケーブルドラム搬送機１０を使用したケーブルドラムＣＤの搬送作業を説明する図。
【図５】前記ケーブルドラム搬送機１０を使用したケーブルドラムＣＤからのケーブル繰り出し作業を説明する図。
【発明を実施するための形態】
【００１０】
以下、実施形態のケーブルドラム搬送機について、図面を参照して説明する。
【００１１】
図１は、実施形態のケーブルドラム搬送機１０の外観構成を示す斜視図である。
【００１２】
このケーブルドラム搬送機１０は、搬送対象となるケーブルドラムＣＤ（図２参照）の回転可能な間隔で、左右一対の棒状の台車フレーム部材１１ａ，１１ｂを備える。この台車フレーム部材１１ａ，１１ｂは、前記ケーブルドラムＣＤの回転方向（Ｙ）に直交する幅方向の両端を構成する一対の円盤状のドラム側面２７ａ（２７ａ）に沿うようにして平行に配置される。
【００１３】
前記台車フレーム部材１１ａ，１１ｂの図示手前側の一端には、下方向への支軸１２ａ，１２ｂを介して、舵きり機構１３を有する後部補助輪（右）１４ａ，（左）１４ｂが設けられる。
【００１４】
前記舵きり機構１３は、左右の後部補助輪１４ａ，１４ｂを、矢印Ｔに示す左右の方向に同時に同舵角で舵をきるための機構であり、左右の前記支軸１２ａ，１２ｂをそれぞれ中心に水平方向に回転可能に取り付けられた一定長さの舵きり板１３ｃ，１３ｄと、当該舵きり板１３ｃ，１３ｄの長さに対応する幅で平行に、同舵きり板１３ｃ，１３ｄの相互を接続するように設けられた舵きりフレーム１３ａ，１３ｂとからなる。
【００１５】
例えば、一方の舵きりフレーム１３ａが右方向Ｒにスライドすると同時に、同じスライド長さで、他方の舵きりフレーム１３ｂが左方向Ｌにスライドし、左右の前記舵きり板１３ｃ，１３ｄを同舵角で回転させることで、各対応する後部補助輪１４ａ，１４ｂを前記同舵角で回動させる。
【００１６】
前記後部補助輪１４ａ，１４ｂは、例えば、ユーザ操作に応じて当該補助輪１４ａ，１４ｂの表面に当接させて同補助輪１４ａ，１４ｂの回転を強制的に止めておくための補助輪ストッパ１５ａ，１５ｂを有する。
【００１７】
なお、前記舵きりフレーム１３ａ，１３ｂは、何れも、その長さ方向に伸縮可能に繋がれる、第１中空フレーム１３ａ１，１３ｂ１と、当該第１中空フレーム１３ａ１，１３ｂ１より断面小径の第２中空フレーム１３ａ２，１３ｂ２とからなる。第１中空フレーム１３ａ１，１３ｂ１の先端に第２中空フレーム１３ａ２，１３ｂ２を挿入して繋ぎ、当該第１中空フレーム１３ａ１，１３ｂ１の先端近くに形成した何れかのピン孔Ｈ１，Ｈ２を選択してねじ式ピンＰ１，Ｐ２を挿入し、第１中空フレーム１３ａ１，１３ｂ１と第２中空フレーム１３ａ２，１３ｂ２とをねじ止め固定する。これにより、前記ケーブルドラムＣＤの幅に対応させて舵きり機構１３における舵きりフレーム１３ａ，１３ｂの長さを調節できる。
【００１８】
なお、前記後部補助輪１４ａ，１４ｂは、前記舵きり機構１３を有することなく、左右の後部補助輪１４ａ，１４ｂがそれぞれ独立して、その進行方向に応じて自在に回動して方向転換する構成としてもよい。この場合、前記舵きり機構１３に代えて、前記左右の台車フレーム部材１１ａ，１１ｂの後端部同士を接続する別の台車フレーム部材を設けて構成する。
【００１９】
前記台車フレーム部材１１ａ，１１ｂの図示奥側となる他端には、舵きり機構を持たない前部補助輪（右）１６ａ，（左）１６ｂが設けられる。なお、この前部補助輪１６ａ，１６ｂも、前記後部補助輪１４ａ，１４ｂと同様に、ユーザ操作に応じてその回転を強制的に止めておくための補助輪ストッパ１７ａ，１７ｂを有する。
【００２０】
ここで、前記左右の台車フレーム部材１１ａ，１１ｂと、当該台車フレーム部材１１ａ，１１ｂの一端を相互に接続する後部補助輪１４ａ，１４ｂの舵きり機構１３とにより、平面から見て図示奥側の前方を開放端とするＵ字型の台車が構成される。
【００２１】
前記左右の台車フレーム部材１１ａ，１１ｂそれぞれの中央部の上面には、前記ケーブルドラムＣＤ（図２参照）のフランジ部２８ａを床面Ｆに置いた接地状態か（図４参照）又は浮かせた離間状態か（図５参照）の何れかの状態で支持するための左右一対の主軸支持部１８ａ，１８ｂが垂直に立設される。
【００２２】
前記主軸支持部１８ａ，１８ｂは、何れも、矢印Ｅに示すように、長さ方向に伸縮可能に繋がれる上部中空支持部材１８ａ１，１８ｂ１と、当該上部中空支持部材１８ａ１，１８ｂ１より断面小径の下部中空支持部材１８ａ２，１８ｂ２とからなる。上部中空支持部材１８ａ１，１８ｂ１の下端に下部中空支持部材１８ａ２，１８ｂ２を挿入して繋ぎ、当該上部中空支持部材１８ａ１，１８ｂ１の下端近くに形成した何れかのピン孔Ｈ３，Ｈ４を選択してねじ式ピンＰ３，Ｐ４を挿入し、上部中空支持部材１８ａ１，１８ｂ１と下部中空支持部材１８ａ２，１８ｂ２とをねじ止め固定する。これにより、前記ケーブルドラムＣＤのドラム側面２７ａの直径に応じて、当該ケーブルドラムＣＤを床面Ｆに置いた接地状態（図４参照）又は浮かせた離間状態（図５参照）の何れの状態にも設定できる。
【００２３】
なお、前記主軸支持部１８ａ，１８ｂには、例えば、油圧式のジャッキアップ機構を設け、主軸支持部１８ａ，１８ｂを長さ方向に伸ばす際に、当該ジャッキアップ機構により、上部中空支持部材１８ａ１，１８ｂ１を上昇させる構成としてもよい。
【００２４】
すなわち、前記主軸支持部１８ａ，１８ｂは、ケーブルドラムＣＤの回転中心孔に通した主軸２１を当該ケーブルドラムＣＤの左右にて支持するもので、右側の主軸支持部１８ａの上部には、前記主軸２１を通したケーブルドラムＣＤのドラム側面２７ａに回転動力を伝達させるためのギアボックス２２が設けられ、左側の主軸支持部１８ｂの上部には、前記主軸２１を回転自在に支持するための軸受け部２３が設けられる。
【００２５】
前記主軸２１は、ギアボックス２２（箱体）内部の動力伝達機構に直結されて回転される基端軸１９と、当該基端軸１９の先端に形成した小径部１９ｂを挿し込んで、同基端軸１９の長さを延長するための延長軸２０からなる。前記基端軸１９の基部１９ａの外径と、前記延長軸２０の外径とは同径とされ、前記主軸２１としてその長さを変更可能にして一体化される。
【００２６】
なお、前記主軸２１の延長軸２０は、大きさの異なるケーブルドラムＣＤの幅に対応させるため、予め長さの異なる複数種類の延長軸２０が用意される。
【００２７】
前記ギアボックス２２（箱体）の図示手前側（後部側）の側面には、ユーザが、例えば市販の充電式インパクトドライバ３０（電動回転工具）を、そのドライバ先端（回転部先端）から挿入して着脱可能に装着するための工具装着部２９が設けられる。
【００２８】
図２は、前記ケーブルドラム搬送機１０のギアボックス２２（箱体）の内部構成とケーブルドラムＣＤとの関係を示す図である。
【００２９】
前記ギアボックス２２（箱体）の内部には、例えば、すぐばかさ歯車を用いた小径かさ歯車２４ａ（第１の歯車）と、当該小径かさ歯車２４ａ（第１の歯車）に噛み合わせてその回転方向を直交する方向に変換させると共に大きな回転トルクを得るための大径歯車２４ｂ（第２の歯車）とを有する動力伝達機構が設けられる。
【００３０】
前記小径かさ歯車２４ａ（第１の歯車）の回転駆動軸２５の先端には、前記充電式インパクトドライバ３０を前記ギアボックス２２（箱体）の工具装着部２９に装着した状態で、当該インパクトドライバ３０の回転部先端に取り付けた、例えば、６角のソケットレンチに嵌合される６角ピン２５ａ（嵌合部）が突出して設けられる。前記充電式インパクトドライバ３０の回転部を正転させた場合、前記回転駆動軸２５が矢印Ｘに示す方向に駆動され回転される。
【００３１】
前記主軸２１の基端軸１９は、前記大径歯車２４ｂ（第２の歯車）の回転中心部に貫通して固着され、また、前記大径歯車２４ｂ（第２の歯車）の左側面には、その半径方向の、例えば３方向に、放射状にして延びる３枚のプレート２６ａ，２６ｂ，２６ｃを一体にした動力伝達プレート２６が固着される。
【００３２】
この動力伝達プレート２６は、前記ケーブルドラムＣＤの回転中心孔に、前記主軸２１をその基端軸１９から延長軸２０を通して前記軸受け部２３に取り付けた後、取り付けボルトＢ１，Ｂ２，Ｂ３を使用してケーブルドラムＣＤのドラム側面２７ａに固定される。
【００３３】
これにより、ユーザは、前記ギアボックス２２（箱体）の後方側面に設けた工具装着部２９に、前記充電式インパクトドライバ３０を挿入し装着して回転動作させることで、当該充電式インパクトドライバ３０の回転動力を、前記ギアボックス２２に構成した動力伝達機構を介して、前記ケーブルドラムＣＤを矢印Ｙに示すように回転させる補助動力として伝達できる。
【００３４】
この際、前記ギアボックス２２は、電動回転工具３０を装着する機能のみならず、前記動力伝達機構である歯車２４ａ，２４ｂ等の機械的動作から作業員Ｍを保護する機能も合わせ持つ。
【００３５】
なお、前記ケーブルドラムＣＤの前記主軸２１に対する幅方向の位置は、前記動力伝達プレート２６を当該ケーブルドラムＣＤの一方のドラム側面２７ａに固定することで遊びなく定められるが、前記主軸２１の延長軸２０に対して、その軸方向にスライド可能に取り付けられる環状のドラム固定部３６により、前記ケーブルドラムＣＤの他方のドラム側面２７ａを抑えて固定することで、さらに確実に遊びなく定められる。
【００３６】
前記ドラム固定部３６は、延長軸２０に通される環状部材３６ａと、当該環状部材３６ａをその外周面から貫通してねじ込まれる固定ボルト３６ｂとからなり、当該固定ボルト３６ｂをねじ込んでその先端を延長軸２０に当接させることで、当該延長軸２０の軸方向の位置を定めて固定できる。
【００３７】
図３は、前記ケーブルドラム搬送機１０の主軸２１に対して取り付けられるドラム固定部３６の他の実施形態を示す図である。
【００３８】
他の実施形態のドラム固定部３６は、前記主軸２１の延長軸２０に通される、内径が前記延長軸２０の外径に対応する平板状の矩形環状部材３７ａと、当該矩形環状部材３７ａの内径側の角部３７ａ´に生じる前記延長軸２０の外周面との隙間に嵌め込まれるくさび部材３７ｂとからなる。くさび部材３７ｂは、前記矩形環状部材３７ａと延長軸２０との隙間に嵌め込んだ状態で、当該矩形環状部材３７ａの内径側と延長軸２０の外周面とに多点で接触して双方の位置ずれを防止するねじ切り加工部３７ｂ´を有する。
【００３９】
これにより、前記図１で示したドラム固定部３６と同様に、当該図３で示した他の実施形態のドラム固定部３６についても、延長軸２０の軸方向の位置を定めて固定でき、前記ケーブルドラムＣＤの主軸２１に対する幅方向の位置を、確実に遊びなく定めることができる。
【００４０】
また、前記図１において、右の台車フレーム部材１１ａの前記主軸支持部１８ａより後部側の上面には、ストッパ支持部３２が設けられ、当該ストッパ支持部３２を支点にして、前記台車フレーム部材１１ａの内側に沿った前方に傾倒可能なストッパレバー３３が立設される。
【００４１】
前記ストッパレバー３３において、前記主軸支持部１８ａ，１８ｂと略同じ高さに対応する前方側のレバー側面には、前記ケーブルドラムＣＤのドラム側面２７ａのフランジ部２８ａに当接させて当該ケーブルドラムＣＤの回転（Ｙ）を制動するためのドラムストッパ３４が取り付けられる。
【００４２】
前記ストッパレバー３３のストッパ支持部３２は、前記台車フレーム部材１１ａの上面にその前後方向に一定の範囲で形成した複数の位置決め孔Ｈ５…を選択的に使用して取り付けることで、矢印Ｓに示すように、前後方向にその位置を調整して設けることができる。これにより、前記ストッパ支持部３２を介して立設されるストッパレバー３３の立設位置は、前記主軸支持部１８ａ，１８ｂで支持するケーブルドラムＣＤのドラム側面２７ａの直径に対応させて、ケーブルドラムＣＤの回転の制動／非制動を適切に操作可能な位置に調整される。
【００４３】
また、前記後部補助輪１４ａ，１４ｂ間に設けた舵きり機構１３には、当該舵きり機構１３の長さの伸縮に対応して同様に伸縮可能なハンドル部３５が立設される。
【００４４】
このハンドル部３５には、前記ギアボックス２２に装着した充電式インパクトドライバ３０の操作信号線３０ａを接続したスイッチボックス３１が取り付けられる。このスイッチボックス３１には、例えば、前記インパクトドライバ３０の回転のオンオフを切り替えるためのオンオフスイッチ３１ａ、回転方向の正転と逆転を切り替えるための正逆スイッチ３１ｂが設けられる。
【００４５】
なお、前記インパクトドライバ３０を駆動するための充電式の電源（バッテリ）は、前記スイッチボックス３１に収納し電源を供給する構成としてもよい。また、前記操作信号線３０ａおよびスイッチボックス３１は設けずに、前記ギアボックス２２に装着した充電式インパクトドライバ３０のスイッチ等をユーザが直接操作する構成としてもよい。
【００４６】
このように構成されたケーブルドラム搬送機１０の左右の台車フレーム部材１１ａ，１１ｂ間の幅Ｗは、前記舵きり機構１３における舵きりフレーム１３ａ，１３ｂの伸縮により後部補助輪１４ａ，１４ｂ間の長さを調整するのと共に、前記左右の主軸支持部１８ａ，１８ｂ間で支持する主軸２１における延長軸２０の長さを選択することで、当該ケーブルドラム搬送機１０で搬送対象とするケーブルドラムＣＤの幅に丁度良く対応させることができる。
【００４７】
次に、前記構成のケーブルドラム搬送機１０の動作について説明する。
【００４８】
（ケーブルドラムＣＤの搬送）
図４は、前記ケーブルドラム搬送機１０を使用したケーブルドラムＣＤの搬送作業を説明する図である。
【００４９】
前記ケーブルドラム搬送機１０を使用してケーブルドラムＣＤを搬送する場合、左右の主軸支持部１８ａ，１８ｂの長さを、矢印Ｅ１に示すように短縮調整し、ケーブルドラムＣＤにおけるドラム側面２７ａのフランジ部２８ａが、床面Ｆに乗って接地している状態とする。
【００５０】
また、例えば、作業員Ｍが普段使用している、充電式インパクトドライバ３０（電動回転工具）をギアボックス２２に装着し、スイッチボックス３１を操作するか、当該インパクトドライバ３０のスイッチ等を直接操作して、同インパクトドライバ３０の回転部を回転（正転）させる。
【００５１】
すると、前記インパクトドライバ３０の回転部およびその先端に取り付けた６角ソケットレンチから、前記図２で示したようにギアボックス２２に構成した動力伝達機構を介して、ケーブルドラムＣＤに対し、当該ケーブルドラムＣＤを矢印Ｙで示す前方（進行方向Ｄ）に回転させる補助動力が伝達される。
【００５２】
これにより、作業員Ｍは、ケーブルドラム搬送機１０のハンドル部３５に手を添えて軽い力で押すだけで、ケーブルドラムＣＤ自体が前記インパクトドライバ３０から補助動力を得て進行方向Ｄに転がり始めるのと共に、前後部補助輪１４ａ，１４ｂ，１６ａ，１６ｂも矢印ｙに示すように進行方向Ｄに回転し、ケーブルドラムＣＤが搬送される。
【００５３】
なお、前記充電式インパクトドライバ３０の正転／逆転を切り替えることで、前記ケーブルドラムＣＤを前方に回転（前進）させて搬送するのと同様に、後方にも回転（後退）させて搬送することができる。
【００５４】
この後、前記ケーブルドラムＣＤの搬送を停止させるときには、前記インパクトドライバ３０の回転を停止させると共に、必要に応じてストッパレバー３３を前傾させ、ドラムストッパ３４をケーブルドラムＣＤのフランジ部２８ａに当接させて制動力を加えることで、当該ケーブルドラムＣＤを目的の場所に停止させることができる。
【００５５】
そして、前後部補助輪１４ａ，１４ｂ，１６ａ，１６ｂの補助輪ストッパ１５ａ，１５ｂ，１７ａ，１７ｂを操作することで、当該前後部補助輪１４ａ，１４ｂ，１６ａ，１６ｂの回転を強制的に止め、前記ケーブルドラムＣＤをその停止位置において維持することができる。
【００５６】
したがって、前記構成のケーブルドラム搬送機１０によれば、ケーブルドラムＣＤの搬送距離が長い場合や搬送経路に上り傾斜がある場合であっても、例えば、作業員Ｍが現場にて常日頃使用している充電式インパクトドライバ３０を利用して、当該ケーブルドラムＣＤ自身に自転するための補助動力を与えることができ、同ケーブルドラムＣＤの搬送に関わる作業員Ｍの負担を、容易に且つ大幅に軽減することが可能になる。
【００５７】
前記構成のケーブルドラム搬送機１０は、前述したように、ケーブルドラムＣＤを目的の場所に搬送して停止させたその場において、以下の図５を参照して説明するように、作業員Ｍの大きな負担なく、当該ケーブルドラムＣＤからのケーブルＣＡの繰り出し、ケーブルＣＡの巻き戻しを行なうことができる。
【００５８】
（ケーブルＣＡの繰り出し／巻き戻し）
図５は、前記ケーブルドラム搬送機１０を使用したケーブルドラムＣＤからのケーブル繰り出し作業を説明する図である。
【００５９】
例えば、前記図４で示したように、ケーブルドラム搬送機１０を使用して目的の場所まで搬送したケーブルドラムＣＤからケーブルＣＡを繰り出す場合、左右の主軸支持部１８ａ，１８ｂの長さを、矢印Ｅ２に示すように伸長調整し、ケーブルドラムＣＤにおけるドラム側面２７ａのフランジ部２８ａが、床面Ｆから浮いて離間した状態とする。
【００６０】
また、スイッチボックス３１を操作するか、当該インパクトドライバ３０のスイッチ等を直接操作して、同インパクトドライバ３０の回転部を回転（正転）させる。
【００６１】
すると、前記同様に、インパクトドライバ３０の回転部およびその先端に取り付けた６角ソケットレンチから、前記図２で示したようにギアボックス２２に構成した動力伝達機構を介して、ケーブルドラムＣＤに対し、当該ケーブルドラムＣＤを矢印Ｙで示す方向、すなわちケーブルＣＡを繰り出す方向Ｒに回転させる補助動力が伝達される。
【００６２】
これにより、ケーブルドラムＣＤ自体が前記インパクトドライバ３０から補助動力を得てケーブルＣＡを繰り出す方向Ｒに回転し始め、作業員Ｍは、例えば、前記ケーブルドラムＣＤから繰り出されるケーブルＣＡに手を添えて当該ケーブルＣＡの繰り出し先を調節するだけでよい。
【００６３】
なお、前記充電式インパクトドライバ３０の正転／逆転を切り替えることで、前記ケーブルドラムＣＤに対し、同ケーブルドラムＣＤを矢印Ｙで示す方向と逆方向に回転させる補助動力を伝達することができ、前記ケーブルＣＡの繰り出しと同様に、当該ケーブルＣＡの巻き戻しも行なうことができる。
【００６４】
そして、前記ケーブルドラムＣＤの回転を停止させ、ケーブルＣＡの繰り出し（又は巻き戻し）を止めるときには、前記インパクトドライバ３０の回転を停止させると共に、必要に応じてストッパレバー３３を前傾させ、ドラムストッパ３４をケーブルドラムＣＤのフランジ部２８ａに当接させて制動力を加えることで、前記ケーブルＣＡの繰り出し（又は巻き戻し）を止めることができる。
【００６５】
したがって、前記構成のケーブルドラム搬送機１０によれば、例えば、作業員Ｍが現場にて常日頃使用している充電式インパクトドライバ３０を利用して、当該ケーブルドラムＣＤ自身に自転するための補助動力を与え、同ケーブルドラムＣＤの搬送に関わる作業員Ｍの負担を、容易に且つ大幅に軽減することが可能になるばかりでなく、ケーブル繰り出し専用のケーブル繰り出し機へのケーブルドラムＣＤの積み替えなどをする必要なく、前記ケーブルドラムＣＤの搬送作業から連続的にケーブルＣＡの繰り出し作業および巻き戻し作業も行なうことができ、当該ケーブルＣＡの繰り出しおよび巻き戻しに関わる作業員Ｍの負担をも、容易に且つ大幅に軽減することが可能になる。
【００６６】
なお、各実施形態において、前記ケーブルドラムＣＤに自転のための補助動力を与える電動回転工具は、前記充電式インパクトドライバ３０に限定されるものではなく、電動ドラバや電動ドリル等も考えられるが、その中でも比較的大きな回転トルクを有するものが望ましい。
【００６７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００６８】
１０…ケーブルドラム搬送機、１１ａ，１１ｂ…台車フレーム部材、
１３…舵きり機構、１４ａ，１４ｂ…後部補助輪、１５ａ，１５ｂ…補助輪ストッパ、
１６ａ，１６ｂ…前部補助輪、１７ａ，１７ｂ…補助輪ストッパ、
１８ａ，１８ｂ…主軸支持部、１９…基端軸、２０…延長軸、２１…主軸、
２２…ギアボックス（（箱体）動力伝達機構）、２３…軸受け部、
２４ａ…小径かさ歯車（第１の歯車）、２４ｂ…大径歯車（第２の歯車）、
２５…回転駆動軸、２５ａ…６角ピン（嵌合部）、２６…動力伝達プレート、
ＣＤ…ケーブルドラム、２７ａ…ドラム側面、２８ａ…フランジ部、
２９…工具装着部、３０…充電式インパクトドライバ（電動回転工具）、
３１…スイッチボックス、３３…ストッパレバー、３４…ドラムストッパ、
３５…ハンドル部、３６…ドラム固定部。
【図１】
2019202563.tif 000003
【図２】
2019202563.tif 000004
【図３】
2019202563.tif 000005
【図４】
2019202563.tif 000006
【図５】
2019202563.tif 000007